(57)【要約】【課題】斬新な展示態様とし得る包装箱を提供する。【解決手段】表板１１ａ、１１ｂ、前板１２ａ、１２ｂ、側板１３ａ、１３ｂ、後板１４ａ、１４ｂ及び中板１５ａ、１５ｂを有する一対の両箱本体１０ａ、１０ｂとから成る。その両箱本体は両後板の上縁で折曲可能に連結Ｃされている。中板には商品Ａの収納孔（嵌合孔）２１、２２、２３がそれぞれ形成されている。対の箱本体を折り返して一方の箱本体を台座とし他方の箱本体を斜め後方に立ち上げて展示部材として商品Ａ１〜Ａ３を展示する。この展示態様は、対の箱本体が斜交い状に置かれた状態となり、看者がのぞき込むと、収納商品が真っ直ぐ目に飛び込む様となり、その収納商品の高級感を醸し出す。この包装箱は、両箱本体が、表板の上下縁に折り目線を介して後板及び前板を連接し、表板の両側縁には折り目線を介して側板をそれぞれ連接し、前記前板に折り目線を介して中板を連接し、さらに、両箱本体の後板を折り目線を介して連接した紙製ブランクから成るものとし得る。【選択図】図７
2020093825.tif 000002
【特許請求の範囲】
【請求項１】
表板（１１ａ、１１１ａ）、前板（１２ａ、１１２ａ）、側板（１３ａ、１１３ａ）、後板（１４ａ、１１４ａ）及び中板（１５ａ、１１５ａ）とを有する一の箱本体（１０ａ、１１０ａ）と、その一の箱本体（１０ａ、１１０ａ）と同一形状の表板（１１ｂ、１１１ｂ）、前板（１２ｂ、１１２ｂ）、側板（１３ｂ、１１３ｂ）、後板（１４ｂ、１１４ｂ）及び中板（１５ｂ、１１５ｂ）とを有する他の箱本体（１０ｂ、１１０ｂ）とから成り、その両箱本体（１０ａ、１１０ａ、１０ｂ、１１０ｂ）は両後板（１４ａ、１１４ａ、１４ｂ、１１４ｂ）の上縁で折曲可能に連結され、かつその両後板（１４ａ、１１４ａ、１４ｂ、１１４ｂ）は、表板（１１ａ、１１１ａ、１１ｂ、１１１ｂ）に対し中板（１５ａ、１１５ａ、１５ｂ、１１５ｂ）に向かって傾斜しており、前記両中板（１５ａ、１１５ａ、１５ｂ、１１５ｂ）には商品（Ａ１〜Ａ４）の収納孔（２１、２２、２３）がそれぞれ形成されて、両箱本体を前記後板の上縁の連結部（Ｃ）を介して両中板が対向するように重ねた際、前記両中板の収納孔に前記商品が嵌って収納されることを特徴とする包装箱。
【請求項２】
上記両箱本体（１０ａ、１１０ａ、１０ｂ、１１０ｂ）が、表板（１１ａ、１１１ａ、１１ｂ、１１１ｂ）の上下縁に折り目線（ｒ）を介して後板（１４ａ、１１４ａ、１４ｂ、１１４ｂ）及び前板（１２ａ、１１２ａ、１２ｂ、１１２ｂ）を連接し、表板（１１ａ、１１１ａ、１１ｂ、１１１ｂ）の両側縁には折り目線（ｒ）を介して側板（１３ａ、１１３ａ、１３ｂ、１１３ｂ）をそれぞれ連接し、前記前板（１２ａ、１１２ａ、１２ｂ、１１２ｂ）に折り目線（ｒ）を介して中板（１５ａ、１１５ａ、１５ｂ、１１５ｂ）を連接し、さらに、両箱本体（１０ａ、１１０ａ、１０ｂ、１１０ｂ）の後板（１４ａ、１１４ａ、１４ｂ、１１４ｂ）を折り目線（ｒ）を介して連接した紙製ブランクから成り、両箱本体（１０ａ、１１０ａ、１０ｂ、１１０ｂ）の表板（１１ａ、１１１ａ、１１ｂ、１１１ｂ）に対して前板（１２ａ、１１２ａ、１２ｂ、１１２ｂ）、後板（１４ａ、１１４ａ、１４ｂ、１１４ｂ）及び側板（１３ａ、１１３ａ、１３ｂ、１１３ｂ）を折り目線（ｒ）を介して内側に折り曲げ、後板（１４ａ、１１４ａ、１４ｂ、１１４ｂ）に対し中板（１５ａ、１１５ａ、１５ｂ、１１５ｂ）を折り目線（ｒ）を介して内側に折り曲げて、箱本体（１０ａ、１１０ａ、１０ｂ、１１０ｂ）を形成する請求項１に記載の包装箱。
【発明の詳細な説明】
【技術分野】
【０００１】
この発明は、一対の箱本体を重ねてその中に商品を収納し（包装し）、その両箱本体の重ね部分を開いて前記商品を展示する包装箱に関するものである。
【背景技術】
【０００２】
この種の包装箱には、例えば、表板、前板、側板、後板及び中板とから成る一の箱本体と、その一の箱本体と同一形状の表板、前板、側板、後板及び中板とから成る他の箱本体とから成るものがある（特許文献１〜３参照）。
これらの包装箱は、対の箱本体を重ね、その重ね部分の間に商品を収納するものであり、その重ね部分を開くことによって商品を展示する。
【先行技術文献】
【特許文献】
【０００３】
【特許文献１】実開昭６２−１１０１２３号公報
【特許文献２】実開昭５８−１２６９３１号公報
【特許文献３】実開昭６１−２０５９３０号公報
【発明の概要】
【発明が解決しようとする課題】
【０００４】
近年、包装箱も豪華となり、包装箱でもって収納商品を展示する場合が多い。しかし、上記従来の各包装箱は、いずれも対の箱本体を開いた状態で展示するだけであるため（特許文献１第１図、特許文献３第１図参照）、斬新性に欠ける。
この発明は、斬新な展示状態とし得る包装箱を提供することを課題とする。
【課題を解決するための手段】
【０００５】
上記課題を達成するため、この発明は、対の箱本体を折り返してその背面で向かい合って展示し得るようにしたのである。
このように、対の箱本体が折り返されてその背面で向かい合わせて一方の箱本体を台座とし、他方の箱本体を立ち上げれば、対の箱本体が斜交い状に置かれた状態となり（図７、図１２、図１３、図１４参照）、看者がのぞき込むと、収納商品が真っ直ぐ目に飛び込む様となり、その収納商品の高級感を醸し出す。
【０００６】
この発明の構成としては、表板、前板、側板、後板及び中板とを有する一の箱本体と、その一の箱本体と同一形状の表板、前板、側板、後板及び中板とを有する他の箱本体とから成り、その両箱本体は両後板の上縁で折曲可能に連結し、かつその両後板は、表板に対し中板に向かって傾斜しており、前記両中板には商品の収納孔がそれぞれ形成されて、両箱本体を前記後板の上縁の連結部を介して両中板が対向するように重ねた際、前記両中板の収納孔に前記商品が嵌って収納される構成としたのである。
この構成の包装箱は、両箱本体を連結部を介して反転し、後板を重ねると、後板が表板に対し中板に向かって傾斜しているため、両箱本体が斜交い状になって、その状態で、一方の箱本体を台座とし、他方の箱本体を一方の箱本体に対して斜め後方に傾斜した立ち上がった状態に設置して収納商品を展示する。
【０００７】
この包装箱は、上記両箱本体が、表板の上下縁に折り目線を介して後板及び前板を連接し、表板の両側縁には折り目線を介して側板をそれぞれ連接し、前記前板に折り目線を介して中板を連接し、さらに、両箱本体の後板を折り目線を介して連接した紙製ブランクから成り、両箱本体の表板に対して前板、後板及び側板を折り目線を介して内側に折り曲げ、後板に対し中板を折り目線を介して内側に折り曲げて、箱本体を形成するものとすることができる。
【発明の効果】
【０００８】
この発明は、以上のように構成したので、斬新な展示態様とすることができる。
【図面の簡単な説明】
【０００９】
【図１】この発明に係る包装箱の一実施形態の前方からの斜視図
【図２】同実施形態を反転した後方からの斜視図
【図３】同実施形態のブランクの平面図
【図４】同実施形態の組み立て途中の部分斜視図
【図５】同実施形態の組み立て途中の斜視図
【図６】同実施形態の両箱本体を開いた状態の斜視図
【図７】同実施形態の商品展示状態の斜視図
【図８】この発明に係る包装箱の他の実施形態の前方からの斜視図
【図９】同実施形態を反転した後方からの斜視図
【図１０】同実施形態のブランクの平面図
【図１１】同実施形態の両箱本体を開いた状態の斜視図
【図１２】同実施形態の商品展示状態の斜視図
【図１３】この発明に係る包装箱のさらに他の実施形態の商品展示状態の斜視図
【図１４】この発明に係る包装箱のさらに他の実施形態の商品展示状態の斜視図
【発明を実施するための形態】
【００１０】
この発明に係わる包装箱の各実施形態（実施形態１、２、３、４）を図１〜図１４に示し、この各実施形態の包装箱Ｐ１、Ｐ２、Ｐ３、Ｐ４は、ボール紙からなり、その表面はアルミ蒸着によって鏡面とすることができる。
なお、この明細書では、包装箱Ｐ（Ｐ１、Ｐ２、Ｐ３、Ｐ４）を水平面上においた状態（図１、図８）で、水平面上にて相直交する一方を前後、他方を左右と称し、水平面に対して直交する鉛直方向に沿う上方を上、下方を下と称する。また、図３等のブランクの展開状態でいう各部の左右、上縁、下縁とは、このブランクが組立てられた包装箱Ｐの状態で、各部の左縁、右縁、上縁、下縁を構成することとなるものを左縁、右縁、上縁、下縁という。また、図３、図１０中、太実線は切断線、細実線ｒは折り目線、破線ｒ’はミシン目線（ミシン目状折り目線）である。
【００１１】
［実施形態１］
この発明に係わる包装箱の一実施形態（実施形態１）を図１〜図７に示し、この包装箱Ｐ１は、図１、図２、図３に示すように、表板１１ａ、前板１２ａ、側板１３ａ、１３ａ、後板１４ａ及び中板１５ａを有する一の箱本体１０ａと、その一の箱本体１０ａと同一形状の表板１１ｂ、前板１２ｂ、側板１３ｂ、１３ｂ、後板１４ｂ及び中板（商品支持板）１５ｂを有する他の箱本体１０ｂとから成る。この対の箱本体１０ａ、１０ｂは、後板１４ａ、１４ｂが２本の折り目線ｒで囲まれた連結部Ｃを介して連結されている。
【００１２】
両箱本体１０ａ、１０ｂの中板１５ａ、１５ｂの後縁には折り目線ｒを介してフラップ片１６ａ、１６ｂが連接され、表板１１ａ、１１ｂの側板１３ａ、１３ｂの端縁（図３において上下縁）には折り目線ｒを介して差し込み片１７ａ、１７ｂ及びフラップ片１８ａ、１８ｂがそれぞれ連接されている。さらに、表板１１ａ、１１ｂの側板１３ａ、１３ｂの側縁（同図において左右縁）には突片１９ａ、１９ｂが折り目線ｒを介して設けられており、この突片１９ａ、１９ｂが中板１５ａ、１５ｂとその側板１３ａ、１３ｂの間の折り目線ｒ上の切り目２０ａ、２０ｂに差し込まれる。
【００１３】
中板１５ａ、１５ｂには、商品支持用の嵌合孔（商品収納孔）２１、２２、２３、が形成されている。この各嵌合孔２１、２２、２３は、収納する商品Ｐの形状に対応して周囲が切り欠いてあり、その各切り抜き片２１ａ、２２ａ、２３ａ、２１ｂ、２２ｂ、２３ｂが嵌合孔２１、２２、２３内に折り目線ｒを介して折り曲げされる。
各嵌合孔２１、２２、２３には、適宜に、支持片２５ａ、２５ｂ、２６、２７が嵌め込まれる。その嵌め込みは、図５に示すように、折り目線ｒで適宜に断面コ字状に折り曲げ、突片２８を各嵌合孔の切り抜き片の折り目線ｒ上の切り目２９に差し込んで行う。
【００１４】
この包装箱Ｐ１は以上の構成であり、その組み立てについて説明する。
まず、図４に示すように、表板１１ａに対し、側板１３ａ、１３ａ及び前板１２ａを折り目線ｒを介して立ち上げ、さらに中板１５ａを折り目線ｒを介して内側に折り込むと共に、その中板１５ａの側板１３ａを折り目線ｒを介して内側に折り曲げる。
その後、中板１５ａの側板１３ａを内側、表板１１ａの側板１３ａを表側にして、両側板１３ａ、１３ａを重ねつつ、表板１１ａに中板１５ａを被せてフラップ片１６ａを中板１５ａの側板１３ａの縁と後板１４ａ間に差し込むとともに、突片１９ａを切り目２０ａに差し込む。これと同時、又はその後、中板１５ａのフラップ片１６ａを後板１４ａの内面に貼着して、扁平箱状の一方の箱本体１０ａを構成する。
【００１５】
他方の箱本体１０ｂも、一方の箱本体１０ａと同様にして組み立てる。両箱本体１０ａ、１０ｂが組み立てられると、図５に示すように、両箱本体１０ａ、１０ｂは連結部Ｃを介して連結した一体物となる。
この図５に示す状態において、箱本体１０ａ、１０ｂの嵌合孔２１、２２、２３に適宜に支持片２５ａ、２５ｂ、２６、２７を嵌め、各嵌合孔に対応した商品Ａ１、Ａ２、Ａ３を嵌め込む（図６参照）。
その状態で両箱本体１０ａ、１０ｂを連結部Ｃを介して折り畳めば、図１、図２に示す、各商品を収納（包装）した包装箱Ｐ１となる。
【００１６】
この包装箱Ｐ１は、図６に示すように、両箱本体１０ａ、１０ｂを開いて商品Ａ１〜Ａ３を展示することができるが、図７に示すように、対の箱本体１０ａ、１０ｂを連結部Ｃを介して折り返し、一方の箱本体１０ｂを台座とし、他方の箱本体１０ａを斜め後方に立ち上げて展示部材として商品Ａ１〜Ａ３を展示することができる。
この展示状態は、対の箱本体１０ａ、１０ｂが斜交い状に置かれて収納商品Ａが斜め後向きに位置した状態となり、看者がのぞき込むと、収納商品Ａが真っ直ぐ目に飛び込む様となり、その収納商品Ａの高級感を醸し出す。
【００１７】
［実施形態２］
この発明に係わる包装箱の他の実施形態（実施形態２）を図８〜図１２に示し、この包装箱Ｐ２は、上記実施形態１とは、表板１１１ａ、１１１ｂ及び中板１１５ａ、１１５ｂが台形をなす以外はほぼ同一の前板１１２ａ、１１２ｂ、側板１１３ａ、１１３ｂ、後板１１４ａ、１１４ｂを有する一対の箱本体１１０ａ、１１０ｂとから成る。このため、図８〜図１２において、実施形態１と同一符号及び下二桁の数字が同一の部分は同一物を示し、その詳細は省略する。
【００１８】
この包装箱Ｐ２も同様に、表板１１１ａに対し、側板１１３ａ、１１３ａ及び前板１１２ａを折り目線ｒを介して立ち上げ、さらに中板１１５ａを折り目線ｒを介して内側に折り込むと共に、その中板１１５ａの側板１１３ａを折り目線ｒを介して内側に折り曲げる（図４参照）。
その後、中板１１５ａの側板１１３ａを内側、表板１１１ａの側板１１３ａを表側にして、両側板１１３ａ、１１３ａを重ねつつ、表板１１１ａに中板１１５ａを被せてフラップ片１１６ａを中板１１５ａの側板１１３ａの縁と後板１１４ａ間に差し込むとともに、突片１１９ａを切り目１２０ａに差し込む。これと同時、又はその後、中板１１５ａのフラップ片１１６ａを後板１１４ａの内面に貼着して、扁平箱状の一方の箱本体１１０ａを構成する。
【００１９】
他方の箱本体１１０ｂも、一方の箱本体１１０ａと同様にして組み立てる。両箱本体１１０ａ、１１０ｂが組み立てられると、図１１に示すように、両箱本体１１０ａ、１１０ｂは連結部Ｃを介して連結した一体物となる。
この図１１に示す状態において、箱本体１１０ａ、１１０ｂの嵌合孔２１、２２、２３に適宜に支持片１２５ａ、１２５ｂ等を嵌め、各嵌合孔に対応した商品Ａ１、Ａ２、Ａ３を嵌め込む。
その状態で両箱本体１１０ａ、１１０ｂを連結部Ｃを介して折り畳めば、図８、図９に示す、各商品を収納（包装）した包装箱Ｐ２となる。
【００２０】
この包装箱Ｐ２は、同様に、図１１に示すように、両箱本体１１０ａ、１１０ｂを開いた状態にして商品Ａ１〜Ａ３を展示することができるが、図１２に示すように、対の箱本体１１０ａ、１１０ｂを連結部Ｃを介して折り返し、一方の箱本体１１０ｂを台座とし他方の箱本体１１０ａを斜め後方に立ち上げて展示部材として商品Ａ１〜Ａ３を展示することができる。
この展示状態は、対の箱本体が１１０ａ、１１０ｂが斜交い状に置かれて収納商品Ａが斜め後向きに位置した状態となり、看者がのぞき込むと、収納商品Ａが真っ直ぐ目に飛び込む様となり、その収納商品の高級感を醸し出す。
【００２１】
嵌合孔２１、２２、２３は、商品Ａに応じて適宜な形状とし得ることは勿論であり、例えば、実施形態２において、図１３に示す形状とし得る（実施形態３）。この実施形態３の嵌合孔は、一方の嵌合孔３１は卵状であり、他方の嵌合孔３２はその卵状嵌合孔３１の一部から四角状に切欠きされた長方形状であり、その卵状の周囲には短冊状に支片３３が設けられている。嵌合孔３１、３２の周囲一部が折り目線ｒとなって、その切り抜き片３１ａ、３２ａが内側に適宜に折り込まれる。嵌合孔３１、３２には、球状部と円柱状部とからなる商品Ａ４を嵌め込んで収納する。
この実施形態３において、表板１１１ａ、１１１ｂ、中板１１５ａ、１１５ｂをほぼ二等辺三角形とすれば、図１４の包装箱Ｐ４となる（実施形態４）。この実施形態４の場合、視覚上の三角形を損なわない限りにおいて、表板１１１ａ、１１１ｂと中板１１５ａ、１１５ｂを連結する前板１１２ａ、１１２ｂが残るように、その前板を適宜な幅のものとする。
【００２２】
この発明に係る包装箱の材料は、ボール紙に限らず、プラスチック板、ダンボール紙等の種々のものを採用できる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２３】
Ｐ１〜Ｐ４  包装箱
Ａ１〜Ａ４  商品
Ｃ  対の箱本体の連結部
１０ａ、１０ｂ、１１０ａ、１１０ｂ  箱本体
１１ａ、１１ｂ  １１１ａ、１１１ｂ  箱本体の表板
１２ａ、１２ｂ  １１２ａ、１１２ｂ  箱本体の前板
１３ａ、１３ｂ  １１３ａ、１１３ｂ  箱本体の側板
１４ａ、１４ｂ  １１４ａ、１１４ｂ  箱本体の後板
１５ａ、１５ｂ  １１５ａ、１１５ｂ  箱本体の中板
１６ａ、１６ｂ  １１６ａ、１１６ｂ  箱本体のフラップ片
【図１】
2020093825.tif 000003
【図２】
2020093825.tif 000004
【図３】
2020093825.tif 000005
【図４】
2020093825.tif 000006
【図５】
2020093825.tif 000007
【図６】
2020093825.tif 000008
【図７】
2020093825.tif 000009
【図８】
2020093825.tif 000010
【図９】
2020093825.tif 000011
【図１０】
2020093825.tif 000012
【図１１】
2020093825.tif 000013
【図１２】
2020093825.tif 000014
【図１３】
2020093825.tif 000015
【図１４】
2020093825.tif 000016